(57)【要約】      （修正有）【課題】衣服を着用した後に、締め付けによって骨盤を固定あるいは矯正する骨盤バンドを着用した衣服の上から装着してもファッション性を損なわない骨盤矯正エプロンの提供。【解決手段】腰部付近に巻き付けて骨盤を固定あるいは矯正する帯状の骨盤バンド２と、腰部付近に巻きつける布状のエプロン本体３とで構成し、前記骨盤バンド２を伸縮性材料で構成し、骨盤バンド２の両端部付近に、一端部側の一定範囲の長手方向任意の位置に他端部側を着脱自在に固定する面ファスナ２２を配設し、エプロン本体３上部に、エプロン本体３の内側に大部分を配した骨盤バンド２を長手方向にスライド可能に取付けるバンド取付部３６を備えた。【選択図】図３
0003119508.tif 000002
【実用新案登録請求の範囲】
【請求項１】
腰部付近に巻き付けて骨盤を固定あるいは矯正する帯状の骨盤バンドと、腰部付近に巻きつける布状のエプロン本体とで構成し、
前記骨盤バンドを伸縮性材料で構成し、
前記骨盤バンドの両端部付近に、一端部側の一定範囲の長手方向任意の位置に他端部側を着脱自在に固定する固定具を配設し、
前記エプロン本体上部に、前記エプロン本体の内側に大部分を配した前記骨盤バンドを長手方向にスライド可能に取付けるバンド取付部を備えた
骨盤矯正エプロン。
【請求項２】
前記エプロン本体の幅方向長さを、
前記骨盤バンド以上の長さに形成した
請求項１に記載の骨盤矯正エプロン。
【請求項３】
前記固定具を、
前記両端部付近に配設した面ファスナで構成した
請求項１、または２に記載の骨盤矯正エプロン。
【請求項４】
前記骨盤バンドの長さ方向中央付近に、携帯用暖房具を収容する収容部を備えた
請求項１、２または３に記載の骨盤矯正エプロン。
【請求項５】
前記エプロン本体を、
幅方向に左部、後部、及び右部をこの順に配して構成し、
前記後部の幅方向長さを、前記左部及び右部の幅方向長さより長く形成し、
前記エプロン本体の左部及び右部のそれぞれの幅方向外側上端部付近に、腰部付近に巻きつけたエプロン本体を締め付けて固定する帯状の固定リボンを備え、
前記２本の固定リボンのうち一方の固定リボンの長さを、前記エプロン本体の幅方向長さ以上の長さに形成し、
他方の固定リボンの長さを、前記エプロン本体の幅方向長さの半分以上で、かつ前記一方の固定リボンの長さの２／３以下の長さに形成し、
前記後部の側方上端部付近に、前記固定リボンのうちいずれか一方の通過を許容する固定リボン通過孔を備えた
請求項１から４のうちいずれかに記載の骨盤矯正エプロン。
【請求項６】
前記バンド取付部を、
前記後部の内周面側で、上下端付近を縫着した布帛で構成した
請求項５に記載の骨盤矯正エプロン。
【請求項７】
前記バンド取付部を、
前記エプロン本体の表裏を貫通し前記骨盤バンドの通過を許容するとともに、幅方向に並設する２個の貫通孔を、前記左部と前記後部との境界となる左脇部及び前記右部と前記後部との境界となる右脇部のそれぞれに配設して構成するとともに、
前記貫通孔のいずれかで前記固定リボン通過孔を構成した
請求項５に記載の骨盤矯正エプロン。
【請求項８】
前記後部の幅方向長さを４０ｃｍ以上の長さに形成し、
前記左部及び右部のそれぞれの幅方向長さを３０ｃｍ以上の長さに形成した
請求項５、６あるいは７に記載の骨盤矯正エプロン。
【考案の詳細な説明】
【技術分野】
【０００１】
この考案は、締め付けによって骨盤を固定あるいは矯正する骨盤バンドを備えた骨盤矯正エプロンに関する。
【背景技術】
【０００２】
従来、締め付けによって骨盤を固定したり、矯正する骨盤バンドが多く存在している。しかし、このような骨盤バンドは、ファッション性に乏しいため、衣服着用前に、素肌に直接あるいは下着の上から腰部付近に装着し、その上に衣服を着用して目立たないように利用されている。したがって、骨盤バンドを外すために衣服を脱ぐこととなり不便であった。これに対して、骨盤バンドを取付けることのできる衣服が提案されている（特許文献１参照）。これによって、利用者は衣服の着用と同時に骨盤バンドを装着でき、骨盤バンドを着脱する際はその衣服を着替えるだけで着脱できる。しかし、上記衣服は骨盤バンドを取付けることのできる専用の衣服であるため、既に所有している衣服等に対応することはできず、利用者を満足させるには至らなかった。
【０００３】
【特許文献１】特開２００２−２０９０８号公報
【考案の開示】
【考案が解決しようとする課題】
【０００４】
そこで本考案では、衣服を着用した後に、締め付けによって骨盤を固定あるいは矯正する骨盤バンドを装着してもファッション性を損なわない骨盤矯正エプロンの提供を目的とする。
【課題を解決するための手段】
【０００５】
この考案は、腰部付近に巻き付けて骨盤を固定あるいは矯正する帯状の骨盤バンドと、腰部付近に巻きつける布状のエプロン本体とで構成し、前記骨盤バンドを伸縮性材料で構成し、前記骨盤バンドの両端部付近に、一端部側の一定範囲の長手方向任意の位置に他端部側を着脱自在に固定する固定具を配設し、前記エプロン本体上部に、前記エプロン本体の内側に大部分を配した前記骨盤バンドを長手方向にスライド可能に取付けるバンド取付部を備えたことを特徴とする。
【０００６】
上記腰部付近に巻きつける布状のエプロン本体は、普通人の平均的なウェスト以上の長さを有する布体で形成したことを含む。  
上記伸縮性材料は、弾力性を有するゴム等の弾力性部材、あるいはゴム網によって伸縮性を有する布帛で形成することを含む。
【０００７】
前記エプロン本体の内側に大部分を配した前記骨盤バンドは、骨盤バンドの全部をエプロン本体の内側に配すること、あるいは骨盤バンドの長さ方向の一部を除くほとんどの部分をエプロン本体の内側に配することを含む。  
固定具は、面ファスナ、ホック、バックルあるいはスナップボタンで構成することを含む。
【０００８】
これにより、着用した衣服の上から骨盤バンドを装着し、装着した骨盤バンドの外側でエプロンを着用することができるため、既に所有している衣服を着用した後に、骨盤バンドを容易に着脱でき、利用者の満足度を向上させることができる。
【０００９】
また、装着した骨盤バンドの外側でエプロンを着用するため、ファッション性に乏しい骨盤バンドを装着しても、外観上はエプロンしか確認できず、着用する衣服のファッション性を損なうことなく骨盤バンドを装着することができる。したがって、着用する衣服のファッションに関心のある利用者の満足度を向上することができる。
【００１０】
この考案の態様として、前記エプロン本体の幅方向長さを、前記骨盤バンド以上の長さに形成することができる。  
上記骨盤バンドの長さは、骨盤バンドの無負荷状態の長さであることを指す。
【００１１】
これにより、骨盤バンドに引張力を負荷して装着した場合であっても、骨盤バンドの外側に着用したエプロンから骨盤バンドが露出することを防止できる。したがって、着用する衣服のファッション性を損なうことなく骨盤バンドを装着することができる。
【００１２】
また、この考案の態様として、前記固定具を、前記両端部付近に配設した面ファスナで構成することができる。  
面ファスナは可撓性を有するため、骨盤バンドを締め付けた場合であっても、面ファスナが身体に沿って湾曲し良好な装着感を得ることができる。
【００１３】
また、この考案の態様として、前記骨盤バンドの長さ方向中央付近に、携帯用暖房具を収容する収容部を備えることができる。  
上記携帯用暖房具は、使い捨ての携帯用カイロ、あるいは使い捨てでない携帯用カイロであることを含む。
【００１４】
これにより、骨盤矯正エプロンを着用するだけで、外観上のファッション性を損なうことなく骨盤を固定あるいは矯正できるとともに、腰部の脊椎付近を暖めることができる。なお、上半身背中側の脊椎付近を暖めることによって、体全体を暖めることができる。したがって、利用者の満足度をさらに向上させることができる。
【００１５】
また、この考案の態様として、前記エプロン本体を、幅方向に左部、後部、及び右部をこの順に配して構成し、前記後部の幅方向長さを、前記左部及び右部の幅方向長さより長く形成し、前記エプロン本体の左部及び右部のそれぞれの幅方向外側上端部付近に、腰部付近に巻きつけたエプロン本体を締め付けて固定する帯状の固定リボンを備え、前記２本の固定リボンのうち一方の固定リボンの長さを、前記エプロン本体の幅方向長さ以上の長さに形成し、他方の固定リボンの長さを、前記エプロン本体の幅方向長さの半分以上で、かつ前記一方の固定リボンの長さの２／３以下の長さに形成し、前記後部の側方上端部付近に、前記固定リボンのうちいずれか一方の通過を許容する固定リボン通過孔を備えることができる。
【００１６】
なお、上記前記エプロン本体を、幅方向に左部、後部、及び右部をこの順に配して構成しは、左部、後部、及び右部を一枚の布状体で構成すること、あるいは別体で構成したそれぞれを接続して一体化して構成することを含む。
【００１７】
これにより、エプロン本体を腰部付近に巻きつけて、２本の固定リボンのうち一方を固定リボン通過孔からエプロン本体の外側に通し、他方の固定リボンと締め付けて結ぶことで、容易に骨盤矯正エプロンを着用することができる。  
また、固定リボンの長さを上記長さに形成したことによって、２本の固定リボンを締め付けて結んだ結び目が正面視中央から左右いずれかに偏心するため、骨盤矯正エプロンのファッション性を向上させることができる。
【００１８】
また、前記左部及び右部の幅方向長さを上記長さに形成したことによって、左部及び右部のうち幅方向長さの長い方を前側となるようにして腰部付近に骨盤矯正エプロンを着用した場合、前側となる左部あるいは右部の端部のラインが正面視中央から左右いずれかに偏心するため、骨盤矯正エプロンのファッション性を向上させることができる。
【００１９】
また、この考案の態様として、前記バンド取付部を、前記後部の内周面側で、上下端付近を縫着した布帛で構成することができる。  
これにより、骨盤バンドをエプロン本体の内側に容易に取付けることができる。
【００２０】
また、この考案の態様として、前記バンド取付部を、前記エプロン本体の表裏を貫通し前記骨盤バンドの通過を許容するとともに、幅方向に並設する２個の貫通孔を、前記左部と前記後部との境界となる左脇部及び前記右部と前記後部との境界となる右脇部のそれぞれに配設して構成するとともに、前記貫通孔のいずれかで前記固定リボン通過孔を構成することができる。  
これにより、骨盤バンドをエプロン本体の内側から外側に一方の貫通孔を通過させ、他方の貫通孔を外側から内側に通過させることで骨盤バンドをエプロン本体に容易に取付けることができる。
【００２１】
また、前記バンド取付部を貫通孔で構成したことによって、骨盤バンドを取付けるための別部材を必要とせず、骨盤バンド取付けのための材料及び手間を低減でき、骨盤矯正エプロンの製造コストを低減できる。  
また、固定リボン通過孔を前記貫通孔で構成したことによって、固定リボン通過孔を別途設けるための手間を低減でき、骨盤矯正エプロンの製造コストを低減できる。
【００２２】
また、骨盤矯正エプロンを普通人が着用した場合、左脇部及び右脇部が脇腹部分付近となるように着用できるため、左脇部及び右脇部に備えた貫通孔を通過する骨盤バンドの一部がエプロンの外側に露出するものの、該露出部分が骨盤矯正エプロンを着用した利用者の脇腹付近であるため目立ちにくく、骨盤矯正エプロンを着用した利用者のファッション性を損なうことを防止できる。
【００２３】
また、この考案の態様として、前記後部の幅方向長さを４０ｃｍ以上の長さに形成し、前記左部及び右部のそれぞれの幅方向長さを３０ｃｍ以上の長さに形成することができる。  
これにより、前記左部及び右部の幅方向長さを上記長さに形成したことによって、左部及び右部のうち幅方向長さの長い方を前側となるようにして腰部付近に骨盤矯正エプロンを着用した場合、前側となる左部あるいは右部の端部のラインが正面視中央から左右いずれかに偏心するため、骨盤矯正エプロンのファッション性を向上させることができる。
【考案の効果】
【００２４】
この考案により、衣服の上から骨盤バンドを装着してもファッション性に富んだ骨盤矯正エプロンを提供することができる。
【考案を実施するための最良の形態】
【００２５】
この発明の一実施形態を以下図面と共に説明する。  
【実施例１】
【００２６】
この考案の一実施形態を、以下図面を用いて説明する。  
まず、エプロン本体３の正面図を示す図１、骨盤バンド２の説明図を示す図２、骨盤バンド２をエプロン本体３に取付けた骨盤矯正エプロン１の背面図を示す図３とともに、骨盤矯正エプロン１、骨盤バンド２及びエプロン本体３について説明する。
【００２７】
エプロン本体３は幅（図１中左右方向）１１３ｃｍ×高さ（図１中上下方向）３２．５ｃｍの長方形の適宜の厚みを有する布帛で構成され、両側端上部にそれぞれ帯状の固定紐４（４ａ、４ｂ）を備えている。なお、本実施例においてエプロン本体３と固定紐４とは別体の同材質の布帛を縫着して構成しているが、これに限定されず、一体で構成してもよく、また別材質の部材で構成してもよい。
【００２８】
エプロン本体３は、正面視左側から左前部３１、後部３２、及び右前部３３で構成し、左前部３１から右前部３３はそれぞれを、３３ｃｍ、４７ｃｍ、３３ｃｍの幅方向長さに形成している。また、エプロン本体３は、後部３２の背面側上部にバンド取付部３６と、左前部３１と後部３２との境界付近上部に後述する右固定紐４ｂの通過を許容し、エプロン本体３を貫通する固定紐通孔３７と、後部３２に正面側中央上部に幅１．２cm×高さ４ｃｍの帯状の布帛の上下端付近を縫着し、右固定紐４ｂをスライド可能に保持する固定紐保持部３８とを備えている。
【００２９】
バンド取付部３６は、後部３２の全幅と略同一の幅を有する長方形の布帛の上端を後部３２の背面側上端付近に合わせ、上下端付近を水平方向に縫着し、後部３２の上部とで後述する幅１０ｃｍの骨盤バンド２の通過を許容する孔を形成している。  
固定紐４は幅２．５ｃｍの帯状であり、左前部３１の左側上端部に縫着された左固定紐４ａは６５ｃｍの長さに、また右前部３３の右側上端部に縫着された右固定紐４ｂは１０５ｃｍの長さに形成している。
【００３０】
上記構成により、後部３２の略中心を腰部の脊椎付近に合わせ、右前部３３を腹部側腰部付近に巻きつけ、前記固定紐通孔３７を貫通させた右固定紐４ｂを、略水平に後部３２の外周側に沿わせ、固定紐保持部３８を通過させて腹部右側前方に引き寄せ、左前部３１を前記右前部３３の外周側に沿わせて腹部右側で左固定紐４ａと右固定紐４ｂを締め付けて結ぶことにより、エプロン本体３をいわゆる巻きスカートのような態様で着用することができる。
【００３１】
なお、エプロン本体３、左前部３１から右前部３３及び固定紐４を上記寸法に形成したことにより、普通人がエプロン本体３を着用した場合、腰部から膝付近までをエプロン本体３で覆うことができるとともに、左前部３１の端部及び固定紐４の結び面が正面視中央から左側に偏心した位置となりため、エプロン本体３のファッション性を向上させることができる。また、後部３２と左前部３１、あるいは右前部３３のそれぞれの境界付近が利用者の両脇部付近となるようにエプロン本体３を着用することができる。
【００３２】
次に、骨盤バンド２の正面図を示す図２（ａ）と、骨盤バンド２の背面図を示す図２（ｂ）に基づいて骨盤バンド２について説明する。なお、骨盤バンド２はいずれの面を外周側として装着してもよく、例えば後述するカイロ収容部２３に使い捨て携帯カイロを収容して装着する場合は、図２（ｂ）に示すようにカイロ収容部２３のある背面側を内周側として装着し、使い捨て携帯カイロを収容しない場合は、図２（ａ）に示す正面側を内周側として装着してもよい。また、その逆であってもよい。
【００３３】
骨盤バンド２は角部をＲ状に面取りした略長方形の帯状のバンド部２１と、面ファスナ２２（２２ａ、２２ｂ）と、カイロ収容部２３とで構成している。  
バンド部２１は適宜の幅及び弾性力を有するゴムひもを所定間隔隔てて横方向（図２中左右方向）に複数本配置し、複数の縦方向（図２中上下方向）の樹脂糸でゴムひも同士を編み込んで、無負荷状態において幅１０ｃｍ（図２中上下方向の長さ）×長さ８８ｃｍ（図２中左右方向の長さ）の帯状に形成している。
【００３４】
面ファスナ２２は、雌側面ファスナ２２ａと雄側面ファスナ２２ｂとの一対で構成し、雌側面ファスナ２２ａと雄側面ファスナ２２ｂのうち一方をバンド部２１の側方端部の片面に備え、他方を他端側の他面に備えている。なお、雌側面ファスナ２２ａと雄側面ファスナ２２ｂのそれぞれは、配置されたバンド部２１の端部形状に合わせて片側の上下角部をＲ状に面取りした略長方形で左右対称な方向で形成するとともに、雄側面ファスナ２２ｂの長さ（図２中左右方向の長さ）を１０ｃｍに、雌側面ファスナ２２ａの長さを２８ｃｍに形成している。なお、本実施例においては、雌側面ファスナ２２ａをバンド部２１の正面左端部に備え、雄側面ファスナ２２ｂを背面右端部に備えているが、雌側面ファスナ２２ａと雄側面ファスナ２２ｂのうちいずれを正面左端部あるいは正面右端部に備えてもよい。
【００３５】
カイロ収容部２３は、バンド部２１の背面側中央付近で、幅１０ｃｍ×高さ８．５ｃｍの長方形の布帛の左右側辺及び下辺付近を凹形状に縫合して形成された袋体で構成している。なお、カイロ収容部２３のサイズは上記寸法に限定されず、一般的な使い捨ての携帯用カイロが収容できるサイズであればよい。
【００３６】
上記構成により、カイロ収容部２３が腰部の脊椎付近となるように配して骨盤バンド２を腰部付近に巻きつけ、骨盤バンド２に適宜の引張力を負荷しながら雌側面ファスナ２２ａと雄側面ファスナ２２ｂとを接合させて骨盤バンド２を装着することによって、骨盤を固定あるいは矯正することができる。
【００３７】
また、雌側面ファスナ２２ａを雄側面ファスナ２２ｂの３倍程度の長さに形成したことによって、雌側面ファスナ２２ａ及び雄側面ファスナ２２ｂをともに同程度の長さに形成した場合と比較して、２倍程度の骨盤バンド２の締め付け長さの調整代を得ることができる。
【００３８】
また、面ファスナ２２は可撓性を有するため、骨盤バンド２を締め付けて装着した場合であっても、面ファスナ２２が身体に沿って湾曲するため、利用者の骨盤を緩みや歪みの程度に応じて引張力を増加させて装着することができる。
【００３９】
また、カイロ収容部２３に使い捨て携帯用カイロを収容して骨盤バンド２を装着すれば、骨盤を固定あるいは矯正できるとともに腰部の脊椎付近を暖めることができる。なお、上半身背中側の脊椎付近を暖めることによって、体全体を暖めることができるため、骨盤矯正エプロン１を着用する利用者の満足度を向上させることができる。
【００４０】
次に、図３とともに、骨盤バンド２のエプロン本体３への取付方法について説明する。  
図３に示すように、エプロン本体３のバンド取付部３６を備えた背面側を上に向け、バンド取付部３６に、骨盤バンド２を貫通させてエプロン本体３に取付ける。  
これにより、骨盤バンド２をエプロン本体３に容易に取付けることができる。
【００４１】
また、骨盤バンド２の幅方向長さ及びエプロン本体３の長さを上記寸法で構成したことにより（図３参照）、骨盤バンド２に引張って装着した場合であっても、エプロン本体３の外側に骨盤バンド２が露出することを防止することができる。したがって、着用する衣服のファッション性を損なうことなく骨盤矯正エプロン１を着用することができる。
【００４２】
次に、図４から図７に示す骨盤矯正エプロン１の着用方法についての説明図とともに、骨盤矯正エプロン１の着用方法について説明する。  
まず、着用した衣服の上から、カイロ収容部２３（図３）を腰部の脊椎付近にあてがい、骨盤バンド２が上側かつ雄側面ファスナ２２ｂが利用者の左側となるようにして骨盤バンド２の両端部分を握持し、雌側面ファスナ２２ａと雄側面ファスナ２２ｂとを腹部前方で接合して骨盤バンド２を装着する（図５参照）。
【００４３】
このとき、骨盤バンド２の両端に適宜の引張力を負荷しながら面ファスナ２２を接合させることによって、骨盤バンド２は衣服の上からウェスト部分に密着するとともに、適宜の締付力で骨盤を固定あるいは矯正することができる。  
なお、使い捨て携帯用カイロを使用する際は、前もってカイロ収容部２３に使い捨て携帯用カイロをカイロ収容部２３に収容しておけばよい。
【００４４】
次に、図６に示すように、右前部３３を骨盤バンド２の上から腹部前方に巻きつけ、右固定紐４ｂを固定紐通孔３７を貫通させてエプロン本体３の外側に引き出す。  
固定紐通孔３７を貫通した右固定紐４ｂを略水平に背面側の後部３２（図３）の外周に沿わせ、固定紐保持部３８（図１）を貫通させて利用者の右斜前方まで巻き付ける。また、左前部３１を右前部３３に沿わせて腹部前方に巻き付け、右斜前方で左固定紐４ａと右固定紐４ｂとを締め付けて結ぶことで、図７に示すように骨盤矯正エプロン１を着用することができる。
【００４５】
これにより、着用した衣服の上から骨盤矯正エプロン１を着用するだけで、外観上のファッション性を損なうことなく骨盤バンド２で骨盤を固定、あるいは矯正できる。したがって、既に所有している衣服を着用しながら、着脱容易に骨盤矯正エプロン１を着用でき、利用者の満足度を向上させることができる。
【００４６】
また、装着した骨盤バンド２の外側でエプロン本体３を着用するため、ファッション性に乏しい骨盤バンド２を装着しても、外観からはエプロン本体３しか確認できず、着用する衣服のファッション性を損なうことなく骨盤バンド２を装着することができ、着用する衣服のファッション性に関心のある利用者の満足度を向上することができる。
【００４７】
また、骨盤バンド２とエプロン本体３とを別体で形成したことによって、適宜の締付力を有する骨盤バンド２や異なる外観を有するエプロン本体３を取替えて着用することができる。
【実施例２】
【００４８】
この考案の他の実施形態を、以下図面を用いて説明する。  
まず、エプロン本体３ａの正面図を示す図８、骨盤バンド２をエプロン本体３ａに取付けた骨盤矯正エプロン１ａの背面図を示す図９とともに、骨盤矯正エプロン１ａ及びエプロン本体３ａについて説明する。
【００４９】
エプロン本体３ａは幅（図１中左右方向）１１４ｃｍ×高さ（図１中上下方向）３６ｃｍの長方形の適宜の厚みを有する布帛で構成され、両側端上部にそれぞれ実施例１と同様に帯状の固定紐４（４ａ、４ｂ）を備えている。  
【００５０】
エプロン本体３ａは、正面視左側から左前部３１、左脇部３４、後部３２、右脇部３５、及び右前部３３で構成し、左前部３１から右前部３３はそれぞれを、３２ｃｍ、５ｃｍ、４２ｃｍ、５ｃｍ、３０ｃｍの幅方向長さに形成している。  
左脇部３４及び右脇部３５の上端から５ｃｍの位置にバンド取付部３６ａを備え、また左脇部３４及び右脇部３５のそれぞれの内側下端に１２ｃｍの長さの貫通する切込みで形成したスリット３９を備えている。
【００５１】
バンド取付部３６ａは、左脇部３４及び右脇部３５のそれぞれの両側上部に配したエプロン本体３ａを貫通する直線かつ１１ｃｍの長さの２本の縦方向の切込み３６ｂで構成している。なお、切込み３６ｂは本実施例において１１ｃｍの長さの切込みで形成しているが、後述する幅１０ｃｍの骨盤バンド２の通過を許容する孔であればよい。  
固定紐４は実施例１と同様の幅２．５ｃｍの帯状であり、左固定紐４ａは５５ｃｍの長さに、また右固定紐４ｂは１１５ｃｍの長さに形成している。
【００５２】
上記構成により、後部３２の略中心を腰部の脊椎付近に合わせ、右前部３３を腹部側腰部付近に巻きつけ、右固定紐４ｂを左脇部３４のバンド取付部３６ａを貫通させ、略水平に後部３２の外周側に沿わせて腹部右側前方に引き寄せ、左前部３１を前記右前部３３の外周側に沿わせて、腹部右側で左固定紐４ａと右固定紐４ｂを締め付けて結ぶことにより、エプロン本体３ａをいわゆる巻きスカートのような態様で着用することができる。
【００５３】
なお、エプロン本体３ａ、左前部３１から右前部３３及び固定紐４を上記寸法に形成したことにより、普通人がエプロン本体３ａを着用した場合、腰部から膝付近までをエプロン本体３ａで覆うことができるとともに、左前部３１の端部及び固定紐４の結び面が正面視中央から左側に偏心した位置となりため、エプロン本体３ａのファッション性を向上させることができる。また、左脇部３４及び右脇部３５が利用者の両脇部付近となるようにエプロン本体３ａを着用することができるとともに、左脇部３４及び右脇部３５の下端にスリット３９を備えているため、利用者の歩行等の動きをエプロン本体３ａが妨げることを防止できる。
【００５４】
次に、図９とともに、骨盤バンド２のエプロン本体３ａへの取付方法について説明する。  
図９に示すように、エプロン本体３ａの背面側を上に向け、左脇部３４及び右脇部３５のそれぞれの上部両側に備えたバンド取付部３６ａに、実施例１と同様の骨盤バンド２を貫通させてエプロン本体３ａに取付ける。
【００５５】
詳述すると、まず、骨盤バンド２の一端をバンド取付部３６ａへの挿入方向手前側の切込み３６ｂから骨盤バンド２をエプロン本体３ａの外側へ貫通させ、他方の切込み３６ｂからエプロン本体３ａの内側に貫通させる。その状態で骨盤バンド２を他方のバンド取付部３６ａに向かって引っ張り、骨盤バンド２の上記一端を他方のバンド取付部３６ａを同様に貫通させて、エプロン本体３ａに骨盤バンド２を取付ける。
【００５６】
これにより、骨盤バンド２をエプロン本体３ａに容易に取付けることができる。また、バンド取付部３６ａをエプロン本体３ａを貫通する２本の切込み３６ｂで構成したことによって、骨盤バンド２を取付けるための別部材を必要とせず、骨盤バンド２取付けのための材料及び手間を低減でき、骨盤矯正エプロン１ａの製造コストを低減できる。
【００５７】
また、骨盤バンド２の幅方向長さ及びエプロン本体３ａの長さを上記寸法で構成したことにより（図９参照）、骨盤バンド２に引張って装着した場合であっても、バンド取付部３６ａ以外でエプロン本体３ａの外側に骨盤バンド２が露出することを防止することができる。したがって、着用する衣服のファッション性を損なうことなく骨盤矯正エプロン１ａを着用することができる。
【００５８】
次に説明する骨盤矯正エプロン１ａの着用方法は、実施例１と同様に、まず骨盤バンド２を装着し、右前部３３を骨盤バンド２の上から腹部前方に巻きつけ、右固定紐４ｂを左脇部３４の切込み３６ｂを貫通させてエプロン本体３ａの外側に引き出す。  
左脇部３４の切込み３６ｂを貫通した右固定紐４ｂを略水平に背面側の後部３２（図９）の外周に沿わせて利用者の右斜前方まで巻き付ける。また、左前部３１を右前部３３に沿わせて腹部前方に巻き付け、右斜前方で左固定紐４ａと右固定紐４ｂとを締め付けて結ぶことで、骨盤矯正エプロン１ａを着用することができる。
【００５９】
これにより、実施例１と同様に、着用した既所有の衣服の上から骨盤矯正エプロン１ａを着脱容易に着用でき、外観上のファッション性を損なうことなく骨盤バンド２で骨盤を固定、あるいは矯正できるため、利用者の満足度を向上させることができる。
【００６０】
また、エプロン本体３ａのバンド取付部３６ａに骨盤バンド２を取付けて骨盤矯正エプロン１ａを着用するため、ファッション性に乏しい骨盤バンド２を装着しても、バンド取付部３６ａから骨盤バンド２の一部がエプロン本体３ａの外側に露出するものの、バンド取付部３６ａは利用者のわき腹付近に位置するため、骨盤バンド２の露出部分は外観上ほとんど目立たず、着用する衣服のファッション性を損なうことなく骨盤バンド２を装着することができる。したがって、着用する衣服のファッション性に関心のある利用者の満足度を向上することができる。
【００６１】
この考案の構成と、上述の実施形態との対応において、
この考案の固定具及び面ファスナは、雌側面ファスナ２２ａ及び雄側面ファスナ２２ｂに対応し、
以下同様に
収容部は、カイロ収容部２３に対応し、
左部は、左前部３１に対応し、
右部は、右前部３３に対応し、
貫通孔は、切込み３６ｂに対応し、
固定リボン通過孔は、固定紐通孔３７及び切込み３６ｂに対応し、
固定リボンは、固定紐４、左固定紐４ａ及び右固定紐４ｂに対応し、
携帯用暖房具は、使い捨て携帯用カイロに対応するも、
この考案は、上述の実施形態の構成のみに限定されるものではなく、多くの実施の形態を得ることができる。
【図面の簡単な説明】
【００６２】
【図１】エプロン本体の正面図。
【図２】骨盤バンドの説明図。
【図３】骨盤バンドをエプロン本体に取付けた骨盤矯正エプロンの背面図。
【図４】骨盤矯正エプロンの着用方法についての説明図。
【図５】骨盤矯正エプロンの着用方法についての説明図。
【図６】骨盤矯正エプロンの着用方法についての説明図。
【図７】骨盤矯正エプロンの着用方法についての説明図。
【図８】他の実施例のエプロン本体の正面図。
【図９】他の実施例の骨盤バンドをエプロン本体に取付けた骨盤矯正エプロンの背面図。
【符号の説明】
【００６３】
１、１ａ…骨盤矯正エプロン
２…骨盤バンド
３、３ａ…エプロン本体
４…固定紐
４ａ…左固定紐
４ｂ…右固定紐
２２ａ…雌側面ファスナ
２２ｂ…雄側面ファスナ
２３…カイロ収容部
３１…左前部
３２…後部
３３…右前部
３４…左脇部
３５…右脇部
３６、３６ａ…バンド取付部
３６ｂ…切込み
３７…固定紐通孔
【図１】
0003119508.tif 000003
【図２】
0003119508.tif 000004
【図３】
0003119508.tif 000005
【図４】
0003119508.tif 000006
【図５】
0003119508.tif 000007
【図６】
0003119508.tif 000008
【図７】
0003119508.tif 000009
【図８】
0003119508.tif 000010
【図９】
0003119508.tif 000011